(57)【要約】【課題】タッチパネルの押圧による液晶表示パネルの輝度ムラの顕現の度合いを低下する「データ処理装置及びコンピュータプログラム」を提供する。【解決手段】液晶表示パネル１にＧＵＩ画面（ａ１）を表示しているときに、タッチパネル２が被検出体の接近を検出したならば、タッチパネル２の被検出体の接近位置周辺の所定の領域３０１の支配的な表示色が白や黒などの高輝度色または低輝度色ではなく、所定の中間輝度周辺の色であるかどうかを調べ、中間輝度周辺の色でなければ、接近位置周辺の所定の領域３０１の表示色を、当該所定の領域３０１の表示色を、全体として所定の中間輝度の中間調色となるように変更する（ａ２）。【選択図】図３
2015022316.tif 000002
【特許請求の範囲】
【請求項１】
液晶表示パネルと当該表液晶示パネルの表示面上に配置されたタッチパネルとを備え、前記タッチパネルで受け付けたユーザ操作に応じた処理を行うデータ処理装置であって、
前記液晶表示パネルに画面を表示する画面表示手段と、
前記タッチパネルが、当該タッチパネルの被検出体の接近または接触を検出したときに、前記液晶表示パネルに表示している画面の、前記タッチパネルが被検出体の接近または接触を検出した位置を少なくとも含む領域である対象領域の表示色を、中間調の色に変更する輝度ムラ顕現抑制手段とを有することを特徴とするデータ処理装置。
【請求項２】
液晶表示パネルと当該表液晶示パネルの表示面上に配置されたタッチパネルとを備え、前記タッチパネルで受け付けたユーザ操作に応じた処理を行うデータ処理装置であって、
前記液晶表示パネルに画面を表示する画面表示手段と、
前記タッチパネルが、当該タッチパネルの被検出体の接近または接触を検出したときに、前記液晶表示パネルに表示している画面の、前記タッチパネルが被検出体の接近または接触を検出した位置周辺の領域の表示色が、第１の輝度レベルより輝度が大きい色である高輝度色と、前記第１の輝度レベルより小さい第２の輝度レベルより輝度が小さい色である低輝度色のいずれかであるかどうかを判定し、高輝度色と低輝度色のいずれかである場合に、前記タッチパネルが被検出体の接近または接触を検出した位置を少なくとも含む領域である対象領域の表示色を、前記第１の輝度レベルより小さく前記第２の輝度レベルより大きい輝度の色である中間輝度色に変更する輝度ムラ顕現抑制手段とを有することを特徴とするデータ処理装置。
【請求項３】
請求項１または２記載のデータ処理装置であって、
前記対象領域は、前記液晶表示パネルに表示している画面の、前記タッチパネルが被検出体の接近または接触を検出した位置周辺の所定サイズの領域であることを特徴とするデータ処理装置。
【請求項４】
請求項１または２記載のデータ処理装置であって、
前記画面表示手段は、前記液晶表示パネルに、ユーザのタッチ操作を受け付けるためのソフトキーを配置した画面を表示し、
前記対象領域は、前記液晶表示パネルに表示している画面の、前記タッチパネルが被検出体の接近または接触を検出した位置に表示しているソフトキーの領域であることを特徴とするデータ処理装置。
【請求項５】
請求項１または２記載のデータ処理装置であって、
前記対象領域は、前記液晶表示パネルに表示している画面の全領域であることを特徴とするデータ処理装置。
【請求項６】
液晶表示パネルと当該表液晶示パネルの表示面上に配置されたタッチパネルとを備えたコンピュータによって読みとられ実行されるコンピュータプログラムであって、
前記コンピュータを、
前記液晶表示パネルに画面を表示する画面表示手段と、
前記タッチパネルで受け付けたユーザ操作に応じた処理を行う処理手段と、
前記タッチパネルが、当該タッチパネルの被検出体の接近または接触を検出したときに、前記液晶表示パネルに表示している画面の、前記タッチパネルが被検出体の接近または接触を検出した位置を少なくとも含む領域である対象領域の表示色を、中間調の色に変更する輝度ムラ顕現抑制手段として機能させることを特徴とするコンピュータプログラム。
【請求項７】
液晶表示パネルと当該表液晶示パネルの表示面上に配置されたタッチパネルとを備えたコンピュータによって読みとられ実行されるコンピュータプログラムであって、
前記コンピュータを、
前記液晶表示パネルに画面を表示する画面表示手段と、
前記タッチパネルで受け付けたユーザ操作に応じた処理を行う処理手段と、
前記タッチパネルが、当該タッチパネルの被検出体の接近または接触を検出したときに、前記液晶表示パネルに表示している画面の、前記タッチパネルが被検出体の接近または接触を検出した位置周辺の領域の表示色が、第１の輝度レベルより輝度が大きい色である高輝度色と、前記第１の輝度レベルより小さい第２の輝度レベルより輝度が小さい色である低輝度色のいずれかであるかどうかを判定し、高輝度色と低輝度色のいずれかである場合に、前記タッチパネルが被検出体の接近または接触を検出した位置を少なくとも含む領域である対象領域の表示色を、前記第１の輝度レベルより小さく前記第２の輝度レベルより大きい輝度の色である中間輝度色に変更する輝度ムラ顕現抑制手段として機能させることを特徴とするコンピュータプログラム。
【発明の詳細な説明】
【技術分野】
【０００１】
本発明は、液晶表示パネルとタッチパネルとを備えたデータ処理システムに関するものである。
【背景技術】
【０００２】
データ処理システムの表示出力と位置入力に用いられる、液晶表示パネルとタッチパネルとを搭載したディスプレイ装置としては、液晶表示パネル保護用のカバーガラスをタッチパネル上に配置したディスプレイ装置や、カバーガラスを基体としてタッチパネルを構成したディスプレイ装置が知られている（たとえば、特許文献１）。
【先行技術文献】
【特許文献】
【０００３】
【特許文献１】特開２００９-０９８３２４号公報
【発明の概要】
【発明が解決しようとする課題】
【０００４】
上述のような液晶表示パネル保護用のカバーガラスを備えたディスプレイ装置においては、カバーガラスの厚みを大きくすると、ディスプレイの薄型化の妨げとなる。
一方で、カバーガラスの厚みを小さくすると、タッチパネルのタッチによる押圧力が液晶表示パネルに伝達されてしまうことを充分に防ぐことができなくなり、液晶表示パネルの撓みによる表示の輝度ムラが生じてしまい、ユーザにディスプレイ装置の品質に対する不満やディスプレイ装置の視認上の不快感を与えてしまうこととなる。なお、このような液晶表示パネルの撓みによる表示の輝度ムラは、IPS（In Plane Switching）方式の液晶表示パネルで顕著に表れる。
【０００５】
そこで、本発明は、カバーガラスなどの液晶表示パネル保護用の透明体の厚みによらずに、液晶表示パネルの撓みによる表示の輝度ムラの顕現の度合いを抑制することを課題とする。
【課題を解決するための手段】
【０００６】
前記課題達成のために、本発明は、液晶表示パネルと当該表液晶示パネルの表示面上に配置されたタッチパネルとを備え、前記タッチパネルで受け付けたユーザ操作に応じた処理を行うデータ処理装置に、前記液晶表示パネルに画面を表示する画面表示手段と、前記タッチパネルが、当該タッチパネルの被検出体の接近または接触を検出したときに、前記液晶表示パネルに表示している画面の、前記タッチパネルが被検出体の接近または接触を検出した位置を少なくとも含む領域である対象領域の表示色を、中間調の色に変更する輝度ムラ顕現抑制手段とを備えたものである。
【０００７】
また、本発明は、前記課題達成のために、液晶表示パネルと当該表液晶示パネルの表示面上に配置されたタッチパネルとを備え、前記タッチパネルで受け付けたユーザ操作に応じた処理を行うデータ処理装置に、前記液晶表示パネルに画面を表示する画面表示手段と、前記タッチパネルが、当該タッチパネルの被検出体の接近または接触を検出したときに、前記液晶表示パネルに表示している画面の、前記タッチパネルが被検出体の接近または接触を検出した位置周辺の領域の表示色が、第１の輝度レベルより輝度が大きい色である高輝度色と、前記第１の輝度レベルより小さい第２の輝度レベルより輝度が小さい色である低輝度色のいずれかであるかどうかを判定し、高輝度色と低輝度色のいずれかである場合に、前記タッチパネルが被検出体の接近または接触を検出した位置を少なくとも含む領域である対象領域の表示色を、前記第１の輝度レベルより小さく前記第２の輝度レベルより大きい輝度の色である中間輝度色に変更する輝度ムラ顕現抑制手段とを備えたものである。
【０００８】
ここで、以上のようなデータ処理装置において、前記対象領域を、前記液晶表示パネルに表示している画面の、前記タッチパネルが被検出体の接近または接触を検出した位置周辺の所定サイズの領域とするようにしてもよい。
または、以上のようなデータ処理装置において、前記画面表示手段が前記液晶表示パネルに、ユーザのタッチ操作を受け付けるためのソフトキーを配置した画面を表示するものである場合には、前記対象領域を、前記液晶表示パネルに表示している画面の、前記タッチパネルが被検出体の接近または接触を検出した位置に表示しているソフトキーの領域とするようにしてもよい。
【０００９】
または、以上のようなデータ処理装置において、前記対象領域を、前記液晶表示パネルに表示している画面の全領域とするようにしてもよい。
以上のようなデータ処理装置によれば、タッチパネルが被検出体の接近または接触を検出した位置を少なくとも含む領域である対象領域の表示色を、ユーザのタッチによる液晶パネルの撓みによって生じる表示輝度の輝度ムラが目立たなくなる中間輝度の中間調色に変更するので、カバーガラスなどの液晶表示パネル保護用の透明体の厚みによらずに、タッチによる液晶パネルの撓みによる表示の輝度ムラの顕現の度合いを低下することができる。
【発明の効果】
【００１０】
以上のように、本発明によれば、カバーガラスなどの液晶表示パネル保護用の透明体の厚みによらずに、液晶表示パネルの撓みによる表示の輝度ムラの顕現の度合いを抑制することができる。
【図面の簡単な説明】
【００１１】
【図１】本発明の実施形態に係るデータ処理システムの構成を示すブロック図である。
【図２】本発明の実施形態に係る輝度ムラ顕現抑制処理を示すフローチャートである。
【図３】本発明の実施形態に係る輝度ムラ顕現抑制処理の処理例を示す図である。
【図４】本発明の実施形態に係る輝度ムラ顕現抑制処理の処理例を示す図である。
【発明を実施するための形態】
【００１２】
以下、本発明の実施形態について自動車に搭載されるデータ処理システムへの適用を例にとり説明する。
図１ａに、本実施形態に係るデータ処理システムの構成を示す。
ここで、データ処理システムは、たとえば、ＡＶシステムやナビゲーションシステムなどを構成するものである。
図示するように、データ処理システムは、バックライト付きの液晶表示パネル１、液晶表示パネル１の表示面上に配置されたタッチパネル２、タッチパネル２上に配置されたカバーガラス３、液晶表示パネル１の表示を制御するディスプレイコントローラ４、タッチパネル２を制御するタッチパネルコントローラ５、オペレーティングシステム６、オペレーティングシステム６上で稼働するアプリケーション７、１または複数の周辺装置８を備えている。
【００１３】
ただし、このようなデータ処理システムは、ＣＰＵやメモリを備えたコンピュータを用いて構成されるものであり、オペレーティングシステム６や、アプリケーション７は、コンピュータが所定のコンピュータプログラムを実行することにより実現されるものである。
【００１４】
さて、液晶表示パネル１とタッチパネル２とカバーガラス３は、一体として、たとえば、図１ｂに示すように、自動車のダッシュボード内に配置される。
ここで、タッチパネル２は、たとえば、静電容量式のタッチパネル２であり、ユーザの指や手などの被検出体が接触（タッチ）したタッチパネル２上の位置を検出する他、被検出体がタッチパネル２に所定レベル以上接近しているときには、被検出体がタッチパネル２に接触していなくても被検出体が接近したタッチパネル２上の位置を検出する。
【００１５】
さて、このような構成において、各アプリケーション７は、オペレーティングシステム６を介して液晶表示パネル１にＧＵＩ画面を表示出力しつつ、タッチパネル２が検出した被検出体の接触や接近や、タッチパネル２が検出した被検出体が接触や接近した位置をオペレーティングシステム６を介して取得しながら所定の処理を行う。
【００１６】
以下、このような構成において、液晶表示パネル１にＧＵＩ画面を表示出力しているアプリケーション７が、液晶表示パネル１の撓みによる表示の輝度ムラの顕現の度合いを抑制するために行う輝度ムラ顕現抑制処理について説明する。
図２に、この輝度ムラ顕現抑制処理の手順を示す。
図示するように、この処理では、タッチパネル２の被検出体の接近の検出を監視し（ステップ２０２）、被検出体の接近の検出が発生したならば、液晶表示パネル１に表示しているＧＵＩ画面のタッチパネル２の被検出体の接近位置周辺の所定の領域の支配的な表示色が、中間調の色よりも輝度レベルが大きい白などの高輝度色と、輝度レベルが中間調の色よりも小さい黒などの低輝度色との色のいずれでもなく、輝度が中間的な中間調の色であるかどうかを調べる（ステップ２０４）。
【００１７】
そして、接近位置周辺の所定サイズの領域の支配的な表示色が、輝度が中間的な中間調の色であれば、そのままステップ２０２に戻る。
一方、接近位置周辺の所定の領域の支配的な表示色が、輝度が中間的な中間調の色でなければ、接近位置周辺の所定の領域の表示色を、当該所定の領域の表示の輝度が全体的に見て、高輝度色と低輝度色との間に設定した所定の中間輝度となるように、すなわち、当該所定の領域の全体的に見た表示色が所定の輝度の中間調の色となるように変更する（ステップ２０６）。ここで、この所定の領域の表示色の変更は、たとえば、当該所定の領域の支配的な色の輝度が所定の中間輝度となるように、当該所定の領域の表示色の輝度を一律に増減したり、当該所定の領域の支配的な色を予め定めた所定の中間輝度の中間調色に変更することにより行う。ただし、この所定の領域の表示色の変更は、所定の領域の表示色の輝度の平均が所定の中間輝度となるように、当該所定の領域の所定の中間輝度より輝度が大きい表示色の輝度を減少し、当該所定の領域の所定の中間輝度より輝度が小さい表示色の輝度を増加することなどの、他の手法により行うようにしてもよい。
【００１８】
なお、このようにステップ２０６において、表示色を変更する接近位置周辺の所定の領域と、当該所定の領域の変更後の全体的な輝度とする所定の中間輝度の値については後述する。
次に、以上のようにして、接近位置周辺の所定の領域の表示色を変更したならば（ステップ２０６）、タッチパネル２の検出している接近または接触している被検出体の位置の変化の発生と（ステップ２０８）、タッチパネル２の被検出体の接近と接触の双方の非検出の発生と（ステップ２１０）とを監視する。
【００１９】
そして、タッチパネル２の検出している被検出体の位置の変化が発生したならば（ステップ２０８）、ステップ２０６で表示色を変更した領域の表示色を、輝度変更前の表示色に復帰し（ステップ２１４）、ステップ２０４からの処理に戻る。
一方、タッチパネル２の被検出体の接近と接触の双方の非検出が発生した場合には（ステップ２１０）、ステップ２０６で表示色を変更した領域の表示色を、輝度変更前の表示色に復帰し（ステップ２１２）、ステップ２０２からの処理に戻る。
以上、アプリケーション７が行う輝度ムラ顕現抑制処理の手順について説明した。
以下、このような輝度ムラ顕現抑制処理の処理例を示す。
まず、ナビゲーションアプリケーションやマップアプリケーションなどの図３ａ１に示すように地図を表示するアプリケーション７が行う輝度ムラ顕現抑制処理の処理例を示す。
このような地図を表示するアプリケーション７は、図３ａ２に示すように、ユーザの指などの被検出体が接近した位置周辺の所定サイズの円形の領域３０１を、輝度ムラ顕現抑制処理のステップ２０６において表示色を変更する接近位置周辺の所定の領域として、円形の領域３０１の支配的な表示色（ここでは、たとえば、地図において道路の背景として使用されている色）が高輝度色または低輝度色でなければ、円形の領域３０１の表示色を、円形の領域３０１の輝度が全体的に所定の中間輝度となるように変更する。
【００２０】
ここで、図３ｂ１、ｂ２に示すように、表示色が高輝度色または低輝度色の場合、ユーザのタッチによる液晶パネルの撓みによって生じる表示輝度の輝度ムラは顕著に目立つものとなるが、図３ｂ３に示すように、表示色が中間輝度の中間調色の場合、ユーザのタッチによる液晶パネルの撓みによって生じる表示輝度の輝度ムラは比較的目立たなくなる。
【００２１】
そこで、輝度ムラ顕現抑制処理のステップ２０６では、上述した所定の中間輝度として、使用する液晶パネルに対する実験等により予め求めておいた、撓みによって生じる表示輝度の輝度ムラが最も目立たなく輝度を用いるようにする。
次に、電子書籍リーダなどの図３ｃ１に示すように文書を表示するアプリケーション７が行う輝度ムラ顕現抑制処理の処理例を示す。
このような文書を表示するアプリケーション７は、図３ｃ２に示すように、ユーザの指などの被検出体が接近した位置周辺の所定サイズの円形の領域３０２を、輝度ムラ顕現抑制処理のステップ２０６において表示色を変更する接近位置周辺の所定の領域として、形の領域３０２の支配的な表示色（ここでは、たとえば、文字の背景色）が高輝度色または低輝度色でなければ、円形の領域３０２の表示色を、円形の領域３０２の輝度が全体的に所定の中間輝度となるように変更する。
【００２２】
次に、メディアプレイヤなどの図４ａ１に示すように、ユーザによってタッチ操作されるソフトキー（ボタン）を含むＧＵＩ画面を表示するアプリケーション７が行う輝度ムラ顕現抑制処理の処理例を示す。
ここのようなソフトキーを含むＧＵＩを表示するアプリケーション７は、図４ａ２に示すように、ユーザの指などの被検出体が接近したソフトキー４０１を、輝度ムラ顕現抑制処理のステップ２０６において表示色を変更する接近位置周辺の所定の領域として、ソフトキー４０１の支配的な表示色（ここでは、たとえば、ソフトキーのボタンの色）が輝度が高輝度色または低輝度色でなければ、ソフトキー４０１のボタンの色を所定の中間輝度の中間調色に変更する。また、このとき、ボタンの色の輝度の変更と併せて、ソフトキー４０１のボタン上の文字や記号やマークの表示色を中間調色に変更するようにしてもよい。
【００２３】
以上、本発明の実施形態について説明した。
ところで、以上の実施形態では、輝度ムラ顕現抑制処理においてタッチパネル２の被検出体の接近位置周辺の所定の領域の表示色を変更するようにしたが、タッチパネル２の被検出体の接近が検出されたならば表示全体の表示色を、表示全体の輝度が全体的に所定の中間輝度となるように変更するようにしてもよい。
【００２４】
すなわち、たとえば、図４ｂ１に示すように地図を表示するアプリケーション７において、タッチパネル２の被検出体の接近が検出されたならば、図４ｂ２に示すように、地図全体を、中間調の色のみを用いた表示に変更するようにしてもよい。
また、以上の実施形態は、タッチパネル２として、被検出体がタッチパネル２に接触していなくても、被検出体がタッチパネル２に所定レベル以上接近しているときには被検出体が接近したタッチパネル２上の位置を検出できるタッチパネル２を用いる場合について示したが、本実施形態は、タッチパネル２として、被検出体がタッチパネル２に接触している場合にのみ接触したタッチパネル２上の位置を検出できるタッチパネル２を用いる場合にも同様に適用することができる。すなわち、この場合には、タッチパネル２への接触をタッチパネル２への接近でもあると見なして以上の輝度ムラ顕現抑制処理における適用すればよい。
【符号の説明】
【００２５】
１…液晶表示パネル、２…タッチパネル、３…カバーガラス、４…ディスプレイコントローラ、５…タッチパネルコントローラ、６…オペレーティングシステム、７…アプリケーション、８…周辺装置。
【図１】
2015022316.tif 000003
【図２】
2015022316.tif 000004
【図３】
2015022316.tif 000005
【図４】
2015022316.tif 000006